(57)【特許請求の範囲】
【請求項１】
少なくとも自動販売機のフロント面、サイド面、上面のいずれかに着脱自在に装着される自動販売機用化粧カバーであって、
化粧カバー本体（２）と、
該化粧カバー本体（２）の裏面に形成された接着層と、
該化粧カバー本体（２）の任意の箇所に形成された、商品広告表示部（７、８）を有するとともに、
前記商品広告表示部（７、８）は、前記化粧カバー本体（２）を正面側に向けて凸状に立体成型して形成されたことを特徴とする自動販売機用化粧カバー。
【請求項２】
前記接着層は、接着剤（１１）を任意のパターンによって前記化粧カバー本体（２）の裏面に塗布することで形成されており、自動販売機に貼着した際にエアー抜き部（１２）を有している、ことを特徴とする請求項１に記載の自動販売機用化粧カバー。
【請求項３】
前記接着剤（１１）のパターンがランダムな形状をしていることを特徴とする請求項１又は請求項２に記載の自動販売機用化粧カバー。
【請求項４】
前記化粧カバー本体（１２）を硬質の樹脂により形成したことを特徴とする請求項１乃至請求項３のいずれかに記載の自動販売機用化粧カバー。
【発明の詳細な説明】
【技術分野】
【０００１】
本発明は自動販売機に用いる化粧カバーに係り、より詳しくは、自動販売機におけるフロント扉の正面、サイド面あるいは上面に着脱自在に装着され、これにより自動販売機を保護可能にするとともに低コストによる装飾の変更、補修等を容易にし、更に、低コストによる自由なデコレーションにより、自動販売機に接する者に強いインパクトを与えることを可能にした自動販売機用化粧カバーに関する。
【背景技術】
【０００２】
一般的に、自動販売機は、その設置、あるいは回収に際しては、いわゆる「ねこ」と呼ばれる手押しの運搬具を用いて運搬されるが、このとき、自動販売機等のフロント面を下側にして運搬具に乗せ、この状態で設置場所等に運搬していくのが一般的である。
【０００３】
そのため、自動販売機等は、フロント側の形状等に制約が生じてしまい装飾性に富んだインパクトのある自動販売機を製造できないという問題点が従来から指摘されていた。
【０００４】
即ち、インパクトのある自動販売機等にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００５】
またこのほか、自動販売機等の設置、回収に際しては、クレーン、リフトを用いることもあり、例えばクレーンを用いた場合には、自動販売機にロープをかけて、このロープにクレーン先端を引っかけて、これによりクレーンで自動販売機を吊しながら移動、設置を行うが、このとき、フロント面に凹凸を形成した場合、あるいはフロント面を正面側に向けて湾曲させた場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００６】
そのために、従来の自動販売機等では、運搬の際の損傷を最小限に抑えることを目的として、フロント面はできるだけフラットにすることが行われており、それにより、特にフロント面の装飾の自由度が制約されてしまい、自由にデコレーションを行うことができず、インパクトのある自動販売機等の製造には限界が生じていた。
【０００７】
また、自動販売機等においては、フロント扉に商品広告等を表示していることが一般的に行われているが、従来はフロント扉に塗装等により商品広告等を表示しており、これを他の広告に変更する場合には少なくともフロント扉全面を再塗装しなければならず、手間がかかるとともにコストも上がってしまうという問題点があった。
【０００８】
そしてこのことは、自動販売機等の補修の際にも言えることであり、即ち、自動販売機等の補修を行う場合には傷等のある箇所を含めてすべての塗装をし直すことが一般的であるため、そのための手間と費用がかかってしまうという問題点が考えられた。
【０００９】
そのために、本発明者は過去において、特に自動販売機等のフロント面の装飾の自由度を高めてインパクトのある自動販売機にすることが可能であるとともに、装飾の変更、補修等を容易にすることを目的として、自動販売機等に用いるフロントカバーを提案した。
【先行技術文献】
【特許文献】
【００１０】
【特許文献１】特開平２００７−６５７９２号公報
【発明の概要】
【発明が解決しようとする課題】
【００１１】
ところで、一般的に自動販売機では、その正面、サイド面、また適宜天井面に商品の広告表示をしているが、このとき、単に商品名やキャッチフレーズ、商品デザインを表示したのみでは、購買者に強くアピールすることができないという問題点が指摘できる。
【００１２】
この点、前述の自動販売機等に用いるフロントカバー（特開平２００７−６５７９２号）では、カバーの任意の箇所に表示部を備えて、この表示部に商品広告等を表示するとともに、表示部の一部は、その肉厚を持たせた構成としているために、肉厚を持たせた表示部においては、単に商品広告を表示する場合と比較して購買者にインパクトを与えることが可能である。
【００１３】
しかしながら、カバーの特定の箇所に肉厚を持たせるためには、加工に手間がかかるとともに、肉厚を持たせる箇所に必要な材料が他の箇所よりも多くなってしまい製造コストの増加を招いてしまう。
【００１４】
そこで、本発明は、自動販売機等のフロント、サイド、あるいは上部に着脱自在に貼り付ける化粧カバーにおいて、コストを上げることなく、自由なデコレーションができ、自動販売機に接する購買者に強いインパクトを与えることを可能にした化粧カバーを提供することを課題としている。
【課題を解決するための手段】
【００１５】
本発明の自動販売機用化粧カバーは、
少なくとも自動販売機等のフロント面、サイド面、上面のいずれかに着脱自在に装着される自動販売機用化粧カバーであって、
化粧カバー本体と、
該化粧カバー本体の裏面に形成された接着層と、
該化粧カバー本体の任意の箇所に形成された、商品の広告、キャッチフレーズ、商品デザイン等を表示した商品広告表示部を有するとともに、
前記商品広告表示部は、前記化粧カバー本体を正面側に向けて凸状に立体成型して形成されたことを特徴としている。
【発明の効果】
【００１６】
本発明の自動販売機用化粧カバーでは、化粧カバー本体の任意の箇所に、商品の広告、キャッチフレーズ、商品デザイン等を表示した商品広告表示部を有するとともに、この商品広告表示部を、前記化粧カバー本体を正面側に向けて凸状に立体成型することで形成している。
【００１７】
そのために、本発明の自動販売機用化粧カバーでは、立体的な商品広告によって自動販売機に接する購買者に強いインパクトを与えるとともに、この商品広告は化粧カバー本体を正面側に向けて凸状に立体成型することのみで形成しているために、製造コストを上げることなく、自由にデコレーションを行うことができて、それにより、自動販売機に接する購買者に強いインパクトを与えることが可能な商品広告を得ることができる。
【図面の簡単な説明】
【００１８】
【図１】本発明の自動販売機用化粧カバーの実施例の正面側斜視図である。
【図２】本発明の自動販売機用化粧カバーの実施例の裏面を示す図である。
【図３】図１におけるＡ−Ａ線断面図である。
【図４】本発明の自動販売機用化粧カバーの実施例の使用方法を説明するための図である。
【発明を実施するための形態】
【００１９】
本発明の自動販売機用化粧カバーでは、自動販売機等のフロント面、サイド面、上面の少なくともいずれかに着脱自在に装着される化粧カバー本体を有しており、この化粧カバー本体の裏面には、接着層が形成されている。
【００２０】
また、前記化粧カバー本体の任意の箇所には、商品の広告、キャッチフレーズ、商品デザイン等を表示した商品広告表示部を有している。
【００２１】
そして、この商品広告表示部は、前記化粧カバー本体を正面側に向けて凸状に立体成型することによって形成されている。
【００２２】
ここで、前記接着層を、接着剤を、ストライプ状、ランダム状等の任意のパターンによって前記化粧カバー本体の裏面に塗布することで形成するとともに、自動販売機に貼着した際にエアーを抜くことが可能なエアー抜き部を有するようにするとよく、これにより、化粧カバーを自動販売機のフロント扉等に接着した際において、化粧カバーと自動販売機との間に空気が入ってしまった場合でも、エアー抜き部を介して空気を外部に出すことができ、化粧カバー本体に皺ができることを有効に防止することができる。
【００２３】
また、前記化粧カバー本体は、硬質の樹脂により形成するとよく、これより、軽量であるとともに、加工も容易で耐久性にも優れた化粧カバーを得ることが可能である。
【実施例１】
【００２４】
本発明の自動販売機用化粧カバー（以下単に「化粧カバー」という。）の実施例について図面を参照して説明すると、図１は、本実施例の化粧カバーを説明するための図であり、図において１が本実施例の化粧カバーである。
【００２５】
そして、本実施例において前記化粧カバー１は、自動販売機のフロント面、より具体的には、自動販売機のフロント扉の正面側に接着され、それによって自動販売機のフロント面を装飾するために用いるフロント用化粧カバーとし、対象とする自動販売機は、缶コーヒー、缶ジュース等の飲料の自動販売機としている。
【００２６】
即ち、本実施例における前記化粧カバー１は、化粧カバー本体２と、この化粧カバー本体２の裏面に形成した接着層と、適宜、接着層を被覆した剥離紙で構成されており、接着層によって、化粧カバー本体の裏面を自動販売機のフロント扉の正面に接着することで使用される。
【００２７】
なお、本発明の化粧カバーは、必ずしもフロント用の化粧カバーには限定されず、その他、自動販売機の側面に接着されるサイド用化粧カバーでもよく、あるいは、自動販売機の上面に接着されるトップ用化粧カバーでもよい。また、接着される自動販売機の種類は特に限定されない。
【００２８】
次に、前記化粧カバー本体について説明すると、図において２が化粧カバー本体であり、本実施例において前記化粧カバー本体２は、硬質の樹脂製とし、自動販売機のフロント扉の正面側を十分に覆うことが可能な形状及び寸法、具体的には自動販売機のフロント扉の形状に合わせて縦長の長方形状とした平板状としている。
【００２９】
そして、上方部分における、化粧カバー１を自動販売機のフロント扉に接着した際に自動販売機の商品見本展示部に対応する２箇所にはそれぞれ、化粧カバー本体２を切り欠くことにより、商品見本展示用窓３を形成している。
【００３０】
更に、この商品見本展示用窓部３のそれぞれの下段は、自動販売機の商品選択ボタンの位置に対応する箇所を切り欠いて自動販売機の商品選択ボタンを押圧可能にし、この切り欠いた部分を商品選択ボタン用窓４としている。
【００３１】
なお、前記商品展示用窓部３は必ずしも、化粧カバー本体２を切り欠いて形成する必要はなく、化粧カバー１を自動販売機に装着した際に前記商品展示部に対応する箇所等を透明にして、これにより商品展示用窓３としてもよい。
【００３２】
またその他、化粧カバー１を自動販売機に装着した際に商品展示部に対応する箇所に商品の絵、写真等を表示し、この部分を商品展示用窓３としてもよい。
【００３３】
次に、前記化粧カバー本体２において、化粧カバー１を自動販売機に装着した際に、自動販売機のフロント扉に備えたコイン投入口、払い戻しレバー、釣り銭取り出し口、及び投入金額等の表示部を含むコイン投入領域に対応した部分にも切り欠きが形成されており、この切り欠き部分が、コイン投入用窓５とされている。
【００３４】
また、前記化粧カバー本体２において、化粧カバー１を自動販売機に装着した際に、自動販売機のフロント扉に備えた商品取り出し口に対応した部分にも切り欠きが形成されており、この切り欠き部分が商品取り出し用窓６とされている。
【００３５】
このように、本実施例の化粧カバー１では、自動販売機のフロント扉に備えられている商品見本展示部、商品選択ボタン、コイン投入領域、及び商品取り出し口に対応した箇所を切り欠いて、商品の選択、コイン投入、商品の取り出し等を可能にしているため、これを自動販売機のフロント扉の正面に接着した場合でも自動販売機の使用には何らの悪影響もない。
【００３６】
なお、自動販売機においては、フロント面にゲーム等を備えたものも存在しているが、かかる自動販売機用に本実施例の化粧カバーを用いる場合には適宜、本実施例の化粧カバー１を自動販売機に装着した際に自動販売機のフロント扉に備えたゲーム部分に対応した部分を切り欠いてゲーム用窓とするとよい。
【００３７】
また、前述したように、本実施例において前記化粧カバー本体２は硬質の樹脂製としているが、必ずしも硬質の樹脂を用いて形成する必要はなく、その他、アルミ等の金属板や木製の板により形成してもよい。
【００３８】
更に、化粧カバー本体２の形状寸法は、必ずしも自動販売機のフロント扉の正面側を十分に覆うことが可能にする必要はなく、フロント扉の正面の一部分を覆う形状寸法としてもよい。
【００３９】
次に、図において７、８は、販売している商品等の広告、キャッチフレーズ、商品デザインを表示した商品広告表示部であり、本実施例において商品広告表示部は、化粧カバー本体２における前記商品展示用窓３の上方と、商品取り出し用窓６の上方に設けられている。そして、前記商品展示用窓３の上方の商品広告表示部８では「コーヒー」の文字が表示され、商品取り出し用窓６の上方の商品広告表示部７では、斜め方向に傾けたコーヒー缶の、正面側の半分部分を表示している。
【００４０】
ここで、前記商品広告表示部について説明すると、図３は、図１におけるＡ−Ａ線断面を示す図であり、本実施例において前記商品広告表示部７は、前記化粧カバー本体２を正面側に向けて凸状に押し出して立体成型して形成している。
【００４１】
この立体成型について具体的に説明すると、本実施例において、商品広告表示部７は、化粧カバー本体２の正面側にコーヒー缶の正面側の半分部分が装着されたような形態になるように、化粧カバー本体２をかまぼこ状に正面側に押し出して形成しており、これにより、化粧カバー本体２を正面側に、コーヒー缶の正面側の半分部分の形態で飛び出させている。
【００４２】
また、商品展示用窓３の上方の商品広告表示部８に表示した「コーヒー」の文字もまた、図示は省略するが、化粧カバー本体の正面側に「コーヒー」の文字がちび出した形態になるように、化粧カバー本体２を、「コーヒー」の文字状に正面側に押し出しており、これにより、「コーヒー」の文字を立体成型して形成している。なお、図１からも明らかなように、本実施例においては、「コーヒー」の文字を構成する部分の表面が円弧状に化粧カバー本体２の正面側に飛び出すようにして立体成型しているが、必ずしもこのようにする必要はなく、角状に飛び出すようにしてもよい。
【００４３】
このように、本実施例の化粧カバーでは、商品の広告、キャッチフレーズ、商品デザイン等を表示した商品広告表示部を化粧カバーに設けるに際して、この商品広告表示部を、化粧カバー本体を正面側に向けて凸状に立体成型することのみで形成しているため、製造コストを上げることなく、自由にデコレーションを行うことができ、それによって、自動販売機に接する購買者に強いインパクトを与えることができる立体的な商品広告を得ることが可能である。
【００４４】
次に、図２は、本実施例における化粧カバー本体２の裏面を示した図であり、図において１１は接着剤である。即ち、本実施例において、前記化粧カバー本体２の裏面には、化粧カバー本体２における切り欠き部分以外の部分に、ストライプ状に接着剤１１を塗布して、接着層を形成している。
【００４５】
そしてそれにより、接着剤１１を塗布した箇所以外の箇所を、化粧カバー１を自動販売機のフロント扉に接着した際に、接着剤の厚み分だけ、自動販売機のフロント扉と化粧カバー本体２との間に、端部において外部に連通した、凹溝部が形成されるようにし、この凹溝部をエアー抜き部１２としている。
【００４６】
そのために、本実施例の化粧カバー１では、自動販売機のフロント扉に接着した際に、化粧カバー１と自動販売機との間に空気が入ってしまった場合でも、前記エアー抜き部１２の端部を介して、化粧カバー１と自動販売機との間に入ってしまった空気を外部に出すことができる。
【００４７】
従って、本実施例の化粧カバーでは、自動販売機のフロント扉に貼り付けた場合において、化粧カバーと自動販売機における接着面との間に空気が残ってしまう事を無くすることが可能である。
【００４８】
なお、前述したように、図２においては、接着剤を縦のストライプ状のパターンで接着剤１１を塗布して接着層を形成した構成を示したが、この接着剤１１の塗布のパターンは特に限定されず、化粧カバーを自動販売機に貼着した際に、エアーを抜くことが可能なエアー抜き部１２が形成されるパターンであればいずれでもよい。従って、横のストライプ状、斜めのストライプ状、あるいは、化粧カバーを自動販売機に貼着した際にエアーを抜くことが可能なエアー抜き形成されるように矢絣状に接着剤１１を塗布してもよい。
【００４９】
また、接着剤の塗布に際しては、図２にも示されるように、細かい接着剤の点をランダムに多数個を塗布してもよく、この接着剤の細かい点をランダムに塗布することで、全体としてストライプ状の接着層を形成し、あるいは、化粧カバー本体２の裏面における切り欠き部分以外の部分全体に接着層を形成してもよく、更にその他、接着剤の塗布に際しては、接着テープを用いてもよい。
【００５０】
更に、エアー抜き部１２は、必ずしも明確な凹溝にする必要はなく、エアーを押し出して外部に抜くことができればいずれでもよく、従って、必ずしも外部に連通している必要はなく、わずかに接着剤が塗布されており、エアーを抜いていくことで、瞬間的に化粧カバー本体と自動販売機との貼着が解除されるような構成としてもよい。
【００５１】
なお、図示を省略しているが、前記接着層には剥離紙が剥離可能に接着されており、使用に際してはこの剥離紙を剥離して接着層を露出した後に、化粧カバー本体２を自動販売機に貼着することとしている。
【００５２】
次に、本実施例の化粧カバー１の作用について図４を参照して説明すると、図４において３１は自動販売機であり、この自動販売機３１は、フロント側に開閉自在のフロント扉３２を有しており、このフロント扉３２の正面側には、商品見本展示部３３、商品選択ボタン３４が備えられている。
【００５３】
また、前記商品選択ボタン３４の下方側には、コイン投入口３５、払い戻しレバー３６、釣り銭取り出し口３７、投入金額等の表示部３８を含むコイン投入領域３９が備えられ、更に、フロント扉３２における下部側には、商品取り出し口４０が備えられている。
【００５４】
そして、このように構成される自動販売機に本実施例の化粧カバー１を用いる場合には、化粧カバー本体２の裏面の接着層を覆っている剥離紙を剥がして接着層を露出させ、この接着層を、自動販売機３１のフロント扉３２の正面に接着し、これにより、本実施例の化粧カバー１を自動販売機３１のフロント扉３２の正面に接着する。
【００５５】
そうすると、自動販売機の全塗装、補修等を行うことなく、自動販売機の外観を容易に変更することができるとともに、本実施例の化粧カバー１では、自動販売機のフロント扉に備えられている前記商品見本展示部３３、商品選択ボタン３４、コイン投入領域３９、商品取り出し口４０に対応した箇所を切り欠いて、商品見本展示用窓３、商品選択ボタン用窓４、コイン投入用窓５、及び商品取り出し用窓６とし、商品の選択、コイン投入、商品の取り出し等を可能にしているため、化粧カバー１を接着していない自動販売機と同様に使用することができる。
【００５６】
そしてこのとき、本実施例の化粧カバー１では、商品の広告、キャッチフレーズ、商品デザイン等を表示した商品広告表示部７、８を、化粧カバー本体２を正面側に向けて凸状に立体成型することのみで形成しているため、製造コストを上げることなく、自由にデコレーションを行うことができ、自動販売機に接する購買者に強いインパクトを与えることができる立体的な商品広告を得ることが可能である。
【００５７】
また、本実施例の化粧カバー１では、裏面の接着層を形成する際に、接着剤をストライプ状のパターンで化粧カバー本体２の裏面に塗布して、それによって、接着剤１１を塗布した箇所以外の箇所を、化粧カバー１を自動販売機のフロント扉に接着した際に、端部において外部に連通したエアー抜き部１２が形成されるようにしているため、化粧カバー１を自動販売機のフロント扉に接着した際に、化粧カバー１と自動販売機との間に空気が入ってしまった場合でも、このエアー抜き部１２を介して、化粧カバー１と自動販売機との間に入ってしまった空気を外部に出すことができ、化粧カバーと自動販売機における接着面との間に空気が残ってしまう事を無くすることが可能である。
【産業上の利用可能性】
【００５８】
本発明の化粧カバーは、自動販売機のフロント扉の正面、サイド面、上面に着脱自在に接着される化粧カバーにおいて、製造コストを上げることなく、自由なデコレーションによって自動販売機に接する購買者に強いインパクトを与えることができる立体的な商品広告を得ることを可能にするとともに、自動販売機に接着する際に、自動販売機における接着面と化粧カバーとの間に空気が入ってしまうことを有効に防止可能としているため、商品を収納して展示する機器に着脱自在に接着される化粧カバーの全般に適用可能である。
【符号の説明】
【００５９】
１    化粧カバー
２    化粧カバー本体
３    商品見本展示用窓
４    商品選択ボタン用窓
５    コイン投入用窓
６    商品取り出し用窓
７、８    商品広告表示部
１１    接着剤
１２    エアー抜き部（凹溝部）
３１    自動販売機
３２    フロント扉
３３    商品見本展示部
３４    商品選択ボタン
３５    コイン投入口
３６    払い戻しレバー
３７    釣り銭取り出し口
３８    投入金額等の表示部
３９    コイン投入領域
４０    商品取り出し口
【図１】
0005528937.tif 000002
【図２】
0005528937.tif 000003
【図３】
0005528937.tif 000004
【図４】
0005528937.tif 000005